(57)【要約】【課題】  ベベルギヤユニット内において出力軸を支持する下側ベアリングが万一破損しても、出力軸のギヤケースからの脱落を確実に防止できるようにされた携帯型刈払機を提供する。【解決手段】  ギヤケース（２２）内に、駆動側ベベルギヤ（３０）と、該駆動側ベベルギヤ（３０）の回転軸線（Ｏａ）に対して所定の交差角（θ）をもって配在され、その下端部に刈刃（４）が取り付けられる出力軸（５０）と、該出力軸（５０）に外嵌されて、前記駆動側ベベルギヤ（３０）に上側から噛合せしめられる従動側ベベルギヤ（４０）と、が配在され、前記出力軸（５０）は、前記ギヤケース（２２）の頂部（２２ａ）内に配在された上側ベアリング（４２）及び下面開口（２２ｂ）近くに配在された下側ベアリング（４４）により回動自在に支持されるとともに、前記ギヤケース（２０）からの脱落を防止すべく、前記出力軸（５０）に、前記上側ベアリング（４２）に係止される予備係止手段としてのＣリング（８０）が外嵌されてなる。【選択図】  図２
2005237265.tif 000002
【特許請求の範囲】
【請求項１】
ドライブシャフト（７）が内挿された操作桿（２）の先端部にベベルギヤユニット（２０）を介して刈刃（４）が取り付けられている携帯型刈払機（１）において、
前記ベベルギヤユニット（２０）は、下面が地面（Ｇ）に向けて開口したギヤケース（２２）を備え、該ギヤケース（２２）内に、前記ドライブシャフト（７）に相対回転を生じないように外嵌された駆動側ベベルギヤ（３０）と、該駆動側ベベルギヤ（３０）の回転軸線（Ｏａ）に対して所定の交差角（θ）をもって配在され、その下端部に前記刈刃（４）が一体回転自在に取り付けられる出力軸（５０）と、該出力軸（５０）に相対回転は生じないが軸方向には摺動可能に外嵌されて、前記駆動側ベベルギヤ（３０）に上側から噛合せしめられる従動側ベベルギヤ（４０）と、が配在され、  前記出力軸（５０）は、前記ギヤケース（２２）の頂部（２２ａ）内に配在された上側ベアリング（４２）及び下面開口（２２ｂ）近くに配在された下側ベアリング（４４）により回動自在に支持されるとともに、前記ギヤケース（２０）からの脱落を防止すべく、前記出力軸（５０）に、前記上側ベアリング（４２）又は前記従動側ベベルギヤ（４０）に係止される予備係止手段（８０）が設けられていることを特徴とする携帯型刈払機。
【請求項２】
前記予備係止手段は、前記出力軸（５０）における前記上側ベアリング（４２）又は前記従動側ベベルギヤ（４０）より上側に外嵌されたサークリップ（８０）であることを特徴とする請求項１に記載の携帯型刈払機。
【請求項３】
前記下側ベアリング（４４）は、前記ギヤケース（２２）から脱落しないようにサークリップ（４５）等により係止され、前記出力軸（５０）には、その脱落防止のため、前記下側ベアリング（４４）に係止されるように、大径係止部又はサークリップ等からなる主係止手段（５４）が設けられていることを特徴とする請求項１又は２に記載の携帯型刈払機。
【発明の詳細な説明】
【技術分野】
【０００１】
本発明は、携帯型刈払機に係り、特に、操作桿の前端部に、刈刃を地面に沿わせて回転駆動するためのベベルギヤユニットを備えた携帯型刈払機に関する。
【背景技術】
【０００２】
一般に、携帯型刈払機は、操作桿の前端部に、刈刃、ベベルギヤユニット、安全カバー等からなる刈刃駆動部が設けられ、その後端部に、前記刈刃を、前記操作桿に内挿されたドライブシャフト及び前記ベベルギヤユニットを介して駆動するための、小型空冷２サイクルガソリンエンジン等の原動機が取り付けられる。
【０００３】
前記ベベルギヤユニットは、例えば、下記特許文献１、２等にも見られるように、ギヤ、ベアリング、軸等を挿入するために下面が地面に向けて開口せしめられているギヤケースと、前記ドライブシャフトと一体回転せしめられる駆動側ベベルギヤと、該駆動側ベベルギヤの回転軸線に対して所定の交差角をもって配在された従動軸（出力軸）と、前記駆動側ベベルギヤに噛合すべく、前記出力軸にスプライン嵌合せしめられた従動側ベベルギヤと、が備えられている。
【０００４】
前記出力軸は、前記ギヤケースの頂部内に配在された上側ベアリングと、下端近くに配在された下側ベアリングと、により回動自在に支持されていて、この出力軸における前記上側ベアリングの下側で前記駆動側ベベルギヤの上側に、前記従動側ベベルギヤが配在されており、この従動側ベベルギヤは、前記駆動側ベベルギヤにその一部が乗りかかって噛合していることにより、抜け落ちないようになっている。
【０００５】
前記出力軸における前記下側ベアリングが配在されている部分より下側には、前記刈刃を挟圧保持すべく、上側押さえ部材及び下側押さえ部材が前記出力軸と一体回転するように、例えば、スプライン嵌合せしめられている。また、前記出力軸の下端部には、前記刈刃を前記上側抑え部材と前記下側押さえ部材との間に挟んで締付固定するための締め付け用ボルトが螺合せしめられている。
【０００６】
そして、前記上側ベアリングは、前記従動側ベベルギヤにより抜け止め係止され、前記下側ベアリングは、係止リング等により前記ギヤケースから脱落しないように係止され、また，前記出力軸には、その脱落防止のため、前記下側ベアリング（のインナーレース）に係止されるように、その上側（軸中央部付近）に大径係止部等からなる係止手段が設けられている。
【０００７】
【特許文献１】実開平５−７４２２４号公報（第１〜２頁、図１〜図３）
【特許文献２】実開平７−１７０１９号公報（第１〜３頁、図１〜図８）
【発明の開示】
【発明が解決しようとする課題】
【０００８】
ところで、前記した如くの構成を有する従来の携帯型刈払機（のベベルギヤユニット）においては、次のような問題を生じていた。
【０００９】
すなわち、刈払作業時等において、砂等の塵埃が前記下側ベアリング内に侵入し、過酷な使用条件下で、この侵入した塵埃によって前記下側ベアリングのボール等が異常摩耗し、この摩耗等により、きわめて稀にではあるが、前記下側ベアリングが破損することがある。前記下側ベアリングが破損すると、前記出力軸を係止するものが無くなることになるので、前記出力軸が前記刈刃等を伴ったまま脱落してしまうという問題が生じる可能性もある。
【００１０】
前記特許文献１に記載の携帯型刈払機（のベベルギヤユニット）は、下側ベアリングを上下に２個備えた構成とすることで、前記問題を解決しているが、該構成は、その構造を複雑にしてしまい、製造コストが高くなってしまう。
【００１１】
本発明は、前記した如くの問題に鑑みてなされたもので、その目的とするところは、出力軸を支持する下側ベアリングが万一破損してしまった場合でも、出力軸までが脱落してしまうことを確実に防止でき、低コストとされた携帯型刈払機を提供することにある。
【課題を解決するための手段】
【００１２】
前記の目的を達成すべく、本発明に係る携帯型刈払機は、基本的には、ドライブシャフトが内挿された操作桿の先端部にベベルギヤユニットを介して刈刃が取り付けられているもので、前記ベベルギヤユニットは、下面が地面に向けて開口したギヤケースを備え、該ギヤケース内に、前記ドライブシャフトに相対回転を生じないように外嵌された駆動側ベベルギヤと、該駆動側ベベルギヤの回転軸線に対して所定の交差角をもって配在され、その下端部に前記刈刃が一体回転自在に取り付けられる出力軸と、該出力軸に相対回転は生じないが軸方向には摺動可能に外嵌されて、前記駆動側ベベルギヤにが上側から噛合せしめられる従動側ベベルギヤと、が配在され、前記出力軸は、前記ギヤケースの頂部内に配在された上側ベアリング及び下面開口近くに配在された下側ベアリングにより回動自在に支持されるとともに、前記ギヤケースからの脱落を防止すべく、前記出力軸に、前記上側ベアリング又は前記従動側ベベルギヤに係止される予備係止手段が設けられていることを特徴としている。
【００１３】
前記予備係止手段は、好ましくは、前記出力軸における前記上側ベアリング又は前記従動側ベベルギヤより上側に外嵌されたサークリップとされる。
【００１４】
他の好ましい態様では、前記下側ベアリングは、前記ギヤケースから脱落しないようにサークリップ等により係止され、前記出力軸には、その脱落防止のため、前記下側ベアリングに係止されるように、大径係止部又はサークリップ等からなる主係止手段が設けられる。
【発明の効果】
【００１５】
本発明に係る携帯型刈払機では、出力軸を支持する下側ベアリングが万一破損しても、出力軸に設けられたＣリング等の予備係止手段が、上側ベアリング又は従動側ベベルギヤに係止されるので、出力軸の脱落を確実に防止できる。
【００１６】
また、ごく小さな部品である、サークリップ等の予備係止手段を追加するだけでよいので、従来の刈払機のベベルギヤユニットに大きな改造を施す必要がなく、コストアップにはほとんど繋がらない等の効果がある。
【発明を実施するための最良の形態】
【００１７】
以下、本発明に係る携帯型刈払機の実施形態を図面を参照しながら説明する。
図１は、本発明に係る刈払機の一実施形態を示す斜視図、図２は、図１に示されるベベルギヤユニットの拡大断面図である。
【００１８】
本実施形態の刈払機１は、操作桿２の前端部に、回転丸鋸刃状の刈刃４、ベベルギヤユニット２０、安全カバー５等からなる刈刃駆動部３が設けられ、その後端部に、遠心クラッチ装置１８が配在されるとともに、該遠心クラッチ装置１８の後に、前記刈刃４を前記操作桿２に内挿されたドライブシャフト７及び前記ベベルギヤユニット２０を介して駆動するための動力源としての、リコイルスタータ８や燃料タンク９が付設された内燃エンジン（小型空冷２サイクルガソリンエンジン）６が取り付けられ、詳細は図示はしないが、この内燃エンジン６には、それ自体周知の、スロットル弁を有する気化器や点火プラグを含む点火装置が備えられている。
【００１９】
また、前記操作桿２おける中央部付近には、Ｕ形ハンドル１０が取り付けられ、このＵ形ハンドル１０の左右両端部にそれぞれ左グリップ１１、右グリップ１２が装着され、さらに、該右グリップ１２には、前記気化器スロットル弁の開度を制御するためのスロットルレバー１５が設けられている。
【００２０】
前記ベベルギヤユニット２０は、頂部２２ａを有し、下面が地面Ｇに向けて開口した段付き円筒状の基筒部２２Ａ、及び、該基筒部２２Ａから斜め上向きに（６０°の交差角をもって）突設された取付筒部２２Ｂ、からなるギヤケース２２を備え、前記取付筒部２２Ｂが前記操作桿２の前端部に外嵌固定されている。
【００２１】
前記ギヤケース２２内には、前記ドライブシャフト７に相対回転を生じないようにスプラインで外嵌された駆動側ベベルギヤ３０と、該駆動側ベベルギヤ３０の回転軸線Ｏａに対して所定の交差角θ（ここでは６０°）をもって配在された出力軸５０（回転軸線Ｏｂ）と、該出力軸５０に相対回転は生じないが軸方向には摺動可能にスプラインで外嵌されて、前記駆動側ベベルギヤ３０にその一部が上から乗りかかるようにして上側から噛合せしめられる従動側ベベルギヤ４０と、が備えられ、前記出力軸５０の下端側に前記刈刃４が一体回転自在に取り付けられている。
【００２２】
前記駆動側ベベルギヤ３０の筒状ボス部３０Ａを含む内周面部３０ａは、前記ドライブシャフト７の先端部に形成されたスプライン軸部７ａに、相対回転を生じず、かつ軸方向に摺動可能にスプライン嵌合せしめられている。前記筒状ボス部３０Ａと前記ギヤケース２２の前記取付筒部２２Ｂとの間には、外側にシール３１ａを備えたベアリング３１が配在されている。該ベアリング３１のインナーレースの前端面は、前記駆動側ベベルギヤ３０の後端面に当接せしめられ、前記ベアリング３１のアウターレースの前端面は、前記ギヤケース２２の前記基筒部２２Ａと前記取付筒部２２Ｂとの境界辺りに設けられた係止段部２２ｓに係止され、また、前記ベアリング３１のアウターレースの後端面は、サークリップ３３により前記取付筒部２２Ｂに係止されている。
【００２３】
前記出力軸５０は、前記ギヤケース２２の前記基筒部２２Ａにおける前記頂部２２ａ近くの内部に配在された上側ベアリング４２と、下面開口２２ｂ近くに配在された、前記上側ベアリング４２より大径の、外側にシール４４ａを備えた下側ベアリング４４と、により回動自在に支持されており、この出力軸５０における前記上側ベアリング４２の下側には、ギヤ用スプライン軸部５２が形成されており、このスプライン軸部５２に、前記従動側ベベルギヤ４０が、相対回転を生じず、かつ、軸方向に摺動可能にスプライン嵌合せしめられている。
【００２４】
そして、前記下側ベアリング４４は、前記基筒部２２Ａの前記下面開口２２ｂから脱落しないように、アウターレースが前記基筒部２２Ａに装着されたサークリップ４５により係止され、前記出力軸５０の軸中央部付近には、その脱落防止のため、前記下側ベアリング４４のインナーレースに係止されるように、主係止手段としての大径係止部５４が設けられている。
【００２５】
前記出力軸５０における前記下側ベアリング４４が配在されている部分より下側には、スプライン軸部５５が形成されており、該スプライン軸部５５に、前記刈刃４を上下から挟圧保持すべく、概略断面凸字状の上側抑え部材６０と、滑走接地部材を兼ねる下側押さえ部材７０と、が相対回転を生じず、かつ軸方向に摺動可能にスプライン嵌合せしめられている。前記上側抑え部材６０と前記刈刃４との間には、中央穴付き円形で外周端縁が立ち上げられた、トレー形プレート６２が介装されている。前記ギヤケース２２の下部外周には、前記プレート６２及び前記上側抑え部材６０と協働してラビリンスを形成し、刈り草等が内部に侵入するのを防止する、スカート状のカバー２７が一体に設けられている。また、前記出力軸５０の下部内周には、雌ねじ部５６が形成されており、該雌ねじ部５６に、前記刈刃４を前記上側抑え部材６０及び前記プレート６２と前記下側押さえ部材７０との間に挟んで締付固定するための、締め付け用座金付きボルト６５が螺合せしめられている。
【００２６】
そして、本実施形態においては、前記下側ベアリング４４が万一破損しても、前記出力軸５０が前記ギアケース２２から脱落しないようにするため、前記出力軸５０の上端部５１に形成せしめた嵌合溝５１ａに、前記上側ベアリング４２のインナーレースに係止される予備係止手段としてのＣリング８０（サークリップ）が外嵌されている。
【００２７】
以上の構成のベベルギヤユニット２０を組み立てるには、予め、出力軸５０の下側スプライン軸部５５側から下側ベアリング４４を圧入取着し、上端部５１側から従動側ベベルギヤ４０を上側スプライン軸部５２に嵌合せしめ、上側ベアリング４２を圧入した上でＣリング８０を嵌着せしめてユニット化しておく。次に、このユニットをギヤケース２２の下面開口２２ｂから挿入し、前記上下ベアリング４２、４５を基筒部２２Ａ内に圧入取着し、サークリップで係止する。
【００２８】
この状態で、ベアリング３１を圧入取着した駆動側ベベルギヤ３０を取着筒部２２Ｂ内に挿入して圧入取着し、サークリップ３３で係止する。最後に図示しない注入口より、適量のグリースを注入する。
【００２９】
このように、本実施形態の携帯型刈払機１のベベルギヤユニット２０においては、前記出力軸５０の上端部５１に、前記上側ベアリング４２に係止される予備係止手段としてのＣリング８０（サークリップ）が外嵌されているので、前記出力軸５０を支持する前記下側ベアリング４４が万一破損しても、前記Ｃリング８０が前記上側ベアリング４２に係止されているので、前記出力軸５０の脱落を確実に防止できる。
【００３０】
また、サークリップ等の、ごく小さな部品よりなる予備係止手段を追加するだけでよいので、従来の刈払機のベベルギヤユニットに大きな改造を施す必要がなく、コストアップにはほとんど繋がらない等の効果もある。
【００３１】
以上、本発明の一実施形態について説明したが、本発明は前記実施形態に限定されるものではなく、特許請求の範囲に記載されている発明の精神を逸脱しない範囲で、設計において適宜変更できるものである。
【００３２】
例えば、前記実施形態では、予備係止手段としてＣリング８０（サークリップ）が用いられているが、それに代えて、前記出力軸５０の上端部５１に径方向に差し込まれるピンや、前記上端部５１に螺合せしめられるナット部材等を用いてもよく、また、それらの取付位置も、前記出力軸５０における前記上側ベアリング４２の上側だけではなく、前記従動側ベベルギヤ４０と前記上側ベアリング４２との間等でもよい。
【図面の簡単な説明】
【００３３】
【図１】本発明に係る携帯型刈払機の一実施形態の外観を示す斜視図。
【図２】図１に示される携帯型刈払機に備えられるベベルギヤユニットの拡大断面図。
【符号の説明】
【００３４】
１      刈払機
２      操作桿
４      刈刃
７      ドライブシャフト
２０    ベベルギヤユニット
２２    ギヤケース
２２ａ  頂部
２２ｂ  下面開口
３０    駆動側ベベルギヤ
４０    従動側ベベルギヤ
４２    上側ベアリング
４４    下側ベアリング
４５    サークリップ
５０    出力軸
５４    大径係止部
８０    サークリップ（予備係止手段）
Ｏａ    駆動側ベベルギヤの回転軸線
θ      交差角
Ｇ      地面
【図１】
2005237265.tif 000003
【図２】
2005237265.tif 000004